(57)【要約】【課題】太陽電池を電源とする蓄電装置の充電状態から、何回測定可能であるかを報知することができる電子血圧計を提供すること。【解決手段】充電が開始されると、充電電流、充電時間および充電特性を測定する（ステップＳ１１８）。測定した充電電流および充電時間と、過去の平均消費電流とに基づいて、仮の測定可能回数を算出する（ステップＳ１２２）。充電池の劣化具合を表わす状態係数に基づいて、仮の測定可能回数を補正し、測定可能回数を推定する（ステップＳ１２４）。充電期間中、測定可能回数の推定を定期的に実行し、測定可能回数の表示を更新する。【選択図】図９
2009219704.tif 000002
【特許請求の範囲】
【請求項１】
被測定者の血圧を測定するための電子血圧計であって、
太陽光を受光し、受光した光エネルギーを電気エネルギーに変換するための太陽電池と、
前記太陽電池が発電した電気エネルギーを蓄えるための蓄電手段と、
前記被測定者の所定の身体部位に巻き付けるためのカフと、
前記カフ内の圧力を検知するための検知手段と、
前記蓄電手段に蓄えられた電気エネルギーを駆動源として前記カフを加圧するための加圧手段と、
前記加圧手段を駆動し、かつ、前記検知手段からの信号に基づいて、前記測定者の血圧を測定するための制御を行なう測定制御手段と、
前記測定制御手段による測定結果を表示するための表示手段と、
充電時間を測定するための計時手段と、
前記太陽電池から前記蓄電手段への充電電流を検出するための電流検出手段と、
充電期間中に、充電時間と充電電流とに基づく前記蓄電手段の電荷量を、前記測定制御手段による測定可能回数に置き換えるための制御を行なう置換制御手段と、
置き換えられた測定可能回数を、前記表示手段に表示するための制御を行なう表示制御手段とを備える、電子血圧計。
【請求項２】
前記電流検出手段は、血圧測定の際に、前記加圧手段の駆動に要した消費電流をさらに検出し、
前記置換制御手段は、
前記電流検出手段による検出結果に基づき、測定１回分の平均消費電流を算出するための第１の平均算出手段と、
算出された平均消費電流と、前記蓄電手段の電荷量とに基づいて、定期的に測定可能回数を推定するための第１の推定手段とを含む、請求項１に記載の電子血圧計。
【請求項３】
前記蓄電手段の電圧を検出するための電圧検出手段と、
前記置換制御手段は、充電期間中に前記電圧検出手段により検出された電圧を、充電特性として測定するための第１の測定処理手段をさらに含み、
前記第１の推定手段は、さらに、過去の充電特性に基づいて、測定可能回数を推定する、請求項２に記載の電子血圧計。
【請求項４】
前記置換制御手段は、血圧測定ごとに、残りの測定可能回数を表わす残回数を推定するための第２の推定手段をさらに含む、請求項１〜３のいずれかに記載の電子血圧計。
【請求項５】
前記置換制御手段は、放電期間中に前記電圧検出手段により検出された電圧を、放電特性として測定するための第２の測定処理手段をさらに含み、
前記第２の推定手段は、測定された放電特性と、前回の充電の際に前記第１の置換手段により置き換えられた最大可能回数と、前回の充電が完了してからの測定実施回数とに基づいて、残回数を推定する、請求項４に記載の電子血圧計。
【請求項６】
前記置換制御手段は、血圧測定ごとに、今回の平均消費電流を算出するための第２の平均算出手段をさらに含み、
前記第２の推定手段は、さらに、今回の平均消費電流に基づいて、残回数を推定する、請求項５に記載の電子血圧計。
【請求項７】
前記第２の推定手段は、さらに、過去の平均消費電流の平均値に基づいて、残回数を推定する、請求項６に記載の電子血圧計。
【請求項８】
前記置換制御手段は、血圧測定ごとに、残りの測定可能回数を表わす残回数を推定するための第２の推定手段をさらに含み、
前記第２の推定手段は、前回の充電の際に前記蓄電手段に充電された電荷量と、今回の消費電荷量と、過去の平均消費電荷量とに基づいて、残回数を推定する、請求項２に記載の電子血圧計。
【発明の詳細な説明】
【技術分野】
【０００１】
本発明は、生体情報測定装置に関し、特に、太陽電池および蓄電装置を備えた電子血圧計に関する。
【背景技術】
【０００２】
従来より、家庭など院外においても、血圧や体組成といった生体情報を測定可能な生体情報測定装置が市販されている。
【０００３】
たとえば血圧の場合、早朝高血圧は心臓病や脳卒中などに関係しており、早朝高血圧や夜間高血圧の発見が重要視されている。時間と血圧との相互関係を把握することが、心血管系の疾患のリスク解析には有用である。そのためには、毎日、同じ時間帯に測定することが重要である。
【０００４】
ところで、先般より、省エネルギーの観点などから、太陽電池を備えた小型の電子機器が存在している。このような電子機器は、蓄電装置（たとえば充電池）に太陽電池が出力する電気エネルギーを蓄えておくことで動作される。そのため、太陽電池と蓄電装置とを含む電源構成の小型の電子機器は、使用場所と充電場所とを別にすることができる。
【０００５】
蓄電装置の電荷量（充電量）の表示方法としては、次に示すようなものがある。携帯電話のように充電状態を数段階で表示するもの、表示灯の点滅パターンの組み合わせで表示するもの、などである。
【０００６】
しかしながら、このような表示方法を血圧計に適用した場合、では、ユーザは具体的に何回測定できるのかを把握することはできない。
【０００７】
乾電池を電源とする生体情報測定装置においては、電池の残量を測定回数として表示することが従来より提案されている（たとえば特許文献１）。具体的には、乾電池の電圧に基づいて、あと何回測定できるかを演算することで、生体情報測定装置が開示されている。これにより、ユーザは、電池の交換時期を容易に把握することができる。
【特許文献１】特開２００１−２４５８５７号公報
【発明の開示】
【発明が解決しようとする課題】
【０００８】
上述のように、家庭用の電子血圧計では、毎日同じ時間帯に血圧を測定することが重要である。しかしながら、太陽電池の発電エネルギーを蓄えておくことで動作可能な血圧計では、充電切れになってしまった場合、ユーザは、装置を充電しなければ測定することができない。そのため、ユーザは、充電切れになったときが測定したい時間帯であれば、測定可能になるまで蓄電装置が充電されるのを待たなければならない。
【０００９】
従来のような一般的な充電状態の表示方法では、ユーザは、測定可能になるまでどれ位待てばいいのか認識することはできない。
【００１０】
上記特許文献１の生体情報測定装置は、乾電池を電源としているため、充電の際に測定可能回数を表示することについては提案されていない。
【００１１】
本発明は、上記のような問題を解決するためになされたものであって、その目的は、太陽電池を電源とする蓄電装置の充電状態から、何回測定可能であるかを報知することができる電子血圧計を提供することである。
【課題を解決するための手段】
【００１２】
この発明のある局面に従う電子血圧計は、被測定者の血圧を測定するための電子血圧計であって、太陽光を受光し、受光した光エネルギーを電気エネルギーに変換するための太陽電池と、太陽電池が発電した電気エネルギーを蓄えるための蓄電手段と、被測定者の所定の身体部位に巻き付けるためのカフと、カフ内の圧力を検知するための検知手段と、蓄電手段に蓄えられた電気エネルギーを駆動源としてカフを加圧するための加圧手段と、加圧手段を駆動し、かつ、検知手段からの信号に基づいて、測定者の血圧を測定するための制御を行なう測定制御手段と、測定制御手段による測定結果を表示するための表示手段と、充電時間を測定するための計時手段と、太陽電池から蓄電手段への充電電流を検出するための電流検出手段と、充電期間中に、充電時間と充電電流とに基づく蓄電手段の電荷量を、測定制御手段による測定可能回数に置き換えるための制御を行なう置換制御手段と、置き換えられた測定可能回数を、表示手段に表示するための制御を行なう表示制御手段とを備える。
【００１３】
好ましくは、電流検出手段は、血圧測定の際に、加圧手段の駆動に要した消費電流をさらに検出し、置換制御手段は、電流検出手段による検出結果に基づき、測定１回分の平均消費電流を算出するための第１の平均算出手段と、算出された平均消費電流と、蓄電手段の電荷量とに基づいて、定期的に測定可能回数を推定するための第１の推定手段とを含む。
【００１４】
好ましくは、蓄電手段の電圧を検出するための電圧検出手段と、置換制御手段は、充電期間中に電圧検出手段により検出された電圧を、充電特性として測定するための第１の測定処理手段をさらに含み、第１の推定手段は、さらに、過去の充電特性に基づいて、測定可能回数を推定する。
【００１５】
好ましくは、置換制御手段は、血圧測定ごとに、残りの測定可能回数を表わす残回数を推定するための第２の推定手段をさらに含む。
【００１６】
好ましくは、置換制御手段は、放電期間中に電圧検出手段により検出された電圧を、放電特性として測定するための第２の測定処理手段をさらに含み、第２の推定手段は、測定された放電特性と、前回の充電の際に第１の置換手段により置き換えられた最大可能回数と、前回の充電が完了してからの測定実施回数とに基づいて、残回数を推定する。
【００１７】
好ましくは、置換制御手段は、血圧測定ごとに、今回の平均消費電流を算出するための第２の平均算出手段をさらに含み、第２の推定手段は、さらに、今回の平均消費電流に基づいて、残回数を推定する。
【００１８】
好ましくは、第２の推定手段は、さらに、過去の平均消費電流の平均値に基づいて、残回数を推定する。
【００１９】
好ましくは、置換制御手段は、血圧測定ごとに、残りの測定可能回数を表わす残回数を推定するための第２の推定手段をさらに含み、第２の推定手段は、前回の充電の際に蓄電手段に充電された電荷量と、今回の消費電荷量と、過去の平均消費電荷量とに基づいて、残回数を推定する。
【発明の効果】
【００２０】
本発明によると、蓄電装置に充電された電荷量が測定可能回数に置き換えられて表示される。したがって、ユーザは、測定したい回数分、充電できたか否かを容易に把握することができる。
【発明を実施するための最良の形態】
【００２１】
本発明の実施の形態について図面を参照しながら詳細に説明する。なお、図中同一または相当部分には同一符号を付してその説明は繰返さない。
【００２２】
［実施の形態１］
＜外観および構成について＞
（外観について）
はじめに図１および図２を参照して、本実施の形態における電子血圧計（以下「血圧計」という）１の外観について説明する。
【００２３】
図１は、本発明の実施の形態１における血圧計１の外観を示す図である。
図１を参照して、血圧計１は、本体部１０と、被測定者のたとえば上腕に巻付けるためのカフ２０と、本体部１０とカフ２０とを接続するためのエアチューブ２４とを備える。  
【００２４】
図２は、本発明の実施の形態１における本体部１０を後方から見た斜視図である。
図１および図２を参照して、本体部１０は、５面体であり、机などの台と接する設置面と、設置面と所定の角度をなす表面１０Ａと、設置面に対して垂直な面である２つの側面１０Ｂ，１０Ｃおよび背面１０Ｄとを有している。
【００２５】
本体部１０の表面１０Ａには、測定結果などを表示するための表示部４０と、ユーザ（代表的に被測定者）からの指示の入力を受付けるための操作部４１とが配置される。操作部４１は、たとえば、電源のＯＮ／ＯＦＦを切替えるための電源スイッチ４１Ａ、測定開始の指示を入力するための測定スイッチ４１Ｂ、および、過去の測定結果を読出して表示する指示を入力するためのメモリスイッチ４１Ｃとを含む。
【００２６】
表示部４０は、たとえば液晶等のディスプレイにより構成される。
本体部１０の左側面１０Ｂには、上述のエアチューブ２４が接続されている。
【００２７】
本体部１０の背面１０Ｄには、太陽電池（ソーラーパネル）５０が配置される。これにより、血圧計１を室内の窓際など外光が差す場所に置くと、太陽電池５０が太陽光を受光し、受光した光エネルギーを電気エネルギーに変換する。つまり、太陽電池５０は、受光量に応じて、電気エネルギーを発生する。発生した電気エネルギーは、本体部１０に内蔵された蓄電装置、たとえば充電池５１（図３参照）に出力される。
【００２８】
なお、血圧計１の本体部１０の形状はこのような例に限定されない。
このように、本実施の形態における血圧計１は、太陽電池５０と充電池５１とを備える。血圧計１が血圧測定処理（主に、ポンプの駆動）を実行するためには、充電池５１に蓄えられた電力（電気エネルギー）が用いられる。
【００２９】
ところで、上述のように、家庭用の血圧計の場合、毎日決まった時間帯に血圧を測定することが有用である。そのため、充電切れになる前に、太陽電池を太陽光にさらして充電することが望ましい。
【００３０】
一方で、充電池の残容量（電荷量）が所定の閾値（バッテリーロー閾値）以上ある場合に充電を繰返すと、充電池が劣化（寿命の短命化）するといわれている。そのため、太陽電池と充電池とを備えた血圧計の場合、ユーザは、充電切れになる直前まで充電を行なわない可能性が高い。そうすると、充電のし忘れなどにより、血圧を測定したいときに、充電切れで測定できなくなってしまう恐れがある。
【００３１】
また、太陽電池のように常に安定した電力を供給できるとは限らない電源にて蓄電装置を充電する場合、ＡＣ（Alternating Current）アダプタのような安定した電源と比べて、天気によって充電時間にバラツキがある。たとえば、太陽電池を電源とする場合、晴天時と曇天時とでは、蓄電装置を満充電にするために要する時間は数時間以上異なる。
【００３２】
そこで、本実施の形態では、充電期間中に、充電池５１に蓄えられた電荷量で、何回測定が可能であるかを推定し、その結果をユーザに報知する。これにより、すぐに測定したい場合、ユーザの充電待ち時間を短縮することができる。
【００３３】
以下に、このような血圧計１の構成および動作の例について、詳細に説明する。なお、実施の形態１では、血圧計１で血圧を測定するユーザ（被測定者）は一人であることを前提とする。
【００３４】
（ハードウェア構成について）
図３は、本発明の実施の形態１における血圧計１のハードウェア構成を示すブロック図である。
【００３５】
図３を参照して、血圧計１のカフ２０は、空気が内包される空気袋２１を含む。空気袋２１は、エアチューブ２４を介して、本体部１０に内蔵されたエア系２５と接続される。  
【００３６】
エア系２５は、空気袋２１内の圧力（以下、「カフ圧」という）を検出するための圧力センサ３２と、空気袋２１に空気を供給するためのポンプ３３と、空気袋２１の空気を排出しまたは封入するために開閉される排気弁３４とを含む。
【００３７】
本体部１０は、各部を集中的に制御および監視するためのＣＰＵ（Central Processing Unit）１００と、不揮発性のメモリ部３９と、表示部４０と、操作部４１と、電源部４２と、時刻を計測するための計時部４３とを内蔵する。また、本体部１０は、エア系２５に関連して、発振回路３５と、ポンプ３３を駆動するためのポンプ駆動回路３６と、排気弁３４を駆動するための弁駆動回路３７とをさらに備える。
【００３８】
ポンプ駆動回路３６は、ＣＰＵ１００から与えられる制御信号に基づいて、ポンプ３３の駆動を制御する。弁駆動回路３７は、ＣＰＵ１００から与えられる制御信号に基づいて、排気弁３４の開閉制御を行なう。
【００３９】
圧力センサ３２は、カフ圧により容量値が変化する。発振回路３５は、圧力センサ３２の容量値に応じた発振周波数の信号をＣＰＵ１００に出力する。ＣＰＵ１００は、発振回路３５から得られる信号を圧力に変換し圧力を検知する。
【００４０】
電源部４２は、操作部４１からの電源ＯＮの指示によりＣＰＵ１００に電力を供給する。電源部４２は、太陽電池５０が出力する電気エネルギーを蓄えるための充電池（蓄電池）５１と、充電池５１の電圧を検出するための電圧検出部５２と、充電池５１への／からの電流を検出するための電流検出部５３とを含む。
【００４１】
充電池５１に蓄えられた電気エネルギーは、主に、ポンプ駆動回路３６の駆動源となる。充電池５１は、たとえばニッケル水素電池である。
【００４２】
電圧検出部５２および電流検出部５３は、各々、ＣＰＵ１００と接続され、検出結果をＣＰＵ１００に出力する。なお、電流検出部５３は、さらに、電流の流れる方向を検出し、その検出結果をＣＰＵ１００に出力するものとする。
【００４３】
メモリ部３９は、ＣＰＵ１００に所定の動作をさせるプログラムや測定結果情報などの各種情報を記憶する。また、充電池５１の電荷量を測定可能回数に置き換えるために必要な情報も記憶する。メモリ部３９の構成例については後述する。
【００４４】
（機能構成について）
図４は、本発明の実施の形態１における血圧計１の機能ブロック図である。なお、ＣＰＵ１００と直接的に信号の授受を行なわないハードウェアについては図示を省略している。
【００４５】
図４を参照して、ＣＰＵ１００は、測定制御部１０２と、置換制御部１０４と、表示制御部１０８とを含む。
【００４６】
測定制御部１０２は、被測定者の血圧を測定するための制御を行なう。具体的には、測定制御部１０２は、ポンプ駆動回路３６および弁駆動回路３７に制御信号を送信することで、カフ圧を調整する。また、発振回路３５からの信号を受信し、公知の手法により被測定者の血圧（最高血圧、最低血圧）を算出する。算出された血圧は、測定結果として表示制御部１０８に出力されるとともに、メモリ部３９に格納される。
【００４７】
置換制御部１０４は、充電期間中に、充電池５１に充電された電荷量を、血圧の測定可能回数に置き換えるための制御を行なう。なお、充電池５１が充電中であるか否かは、電圧検知部５２と電流検出部５３からの信号（＋または−）に基づき判定することができる。電圧が充電池５１の定格を下回り、電流が太陽電池５０から充電池５１に向かって流れている場合には、充電池５１が充電中であると判定される。
【００４８】
置換制御部１０４は、充電期間中、電源部４２および計時部４３からの信号に基づき、充電電流、充電時間および電圧（充電特性）を測定する。より具体的には、電流検出部５３および電圧検出部５２からの信号に基づき、それぞれ、充電電流および電圧を時系列に測定し、内部メモリに一時的に記録する。時系列に測定された電圧は、充電池５１の充電特性を表わす。置換制御部１０４は、また、計時部４３からの信号に基づき、充電時間を測定（カウント）する。
【００４９】
置換制御部１０４は、また、血圧測定１回分の平均消費電流（以下、「平均電流ＥＣｐ」という）を算出する。具体的には、測定毎の平均消費電流（以下、「平均電流ＥＣｔ」という）の平均値を算出することで、平均電流ＥＣｐを算出する。置換制御部１０４は、また、メモリ部３９に記憶された充電特性に基づいて、充電池５１の劣化状態を表わす状態係数を算出する。
【００５０】
置換制御部１０４は、充電期間中、過去の平均電流ＥＣｐと、充電池５１の状態係数と、リアルタイムに測定されている充電電流および充電時間とに基づき、測定可能回数を定期的に推定（算出）する。本実施の形態では、充電池５１の状態係数を測定可能回数の推定に用いるため、精度の良い測定可能回数を得ることができる。充電期間終了の際に、最終的に算出された測定可能回数を、以下、「可能回数Ｎmax」という。
【００５１】
置換制御部１０４は、過去の平均電流ＥＣｐと、充電池５１の状態係数と、可能回数Ｎmaxと、充電期間中に測定された充電特性とを対応付けて、メモリ部３９に格納する。
【００５２】
置換制御部１０４は、さらに、血圧測定ごとに、残りの測定可能回数を表わす残回数を推定する。
【００５３】
置換制御部１０４は、放電期間中、電源部４２に含まれる電圧検出部５２からの信号に基づき、充電池５１の電圧（放電特性）を測定する。より具体的には、電圧検出部５２からの信号に基づき、電圧を時系列に測定し、内部メモリに一時的に記録する。時系列に測定された電圧は、放電特性を表わす。また、血圧測定期間中に、充電池５１の消費電流と、血圧測定時間とを測定する。具体的には、電流検出部５３からの信号に基づき、消費電流を時系列に測定し、内部メモリに一時的に記録する。また、計時部４３からの信号に基づき、血圧測定時間として、カフ２０の加圧時間（ポンプ３３の駆動時間）を測定（カウント）する。具体的には、たとえば、ポンプ駆動回路３６の開始信号が発信されてから停止信号が発信されるまでの時間を加圧時間としてカウントすればよい。
【００５４】
なお、放電期間は、少なくとも、血圧測定期間のうちのポンプ３３の駆動期間を含み、本実施の形態では、放電期間は、電源がＯＮの期間であることとする。
【００５５】
置換制御部１０４は、測定制御部１０２による血圧測定毎に、今回の平均電流ＥＣｔを算出する。具体的には、ポンプ３３の駆動に要した消費電流および加圧時間に基づき、今回の平均電流ＥＣｔを算出する。置換制御部１０４は、今回の平均電流ＥＣｔと、測定された充電特性とを対応付けてメモリ部３９に格納する。なお、本実施の形態では、平均電流ＥＣｔと充電特性とは対応付けて記憶されることとするが、これらは別個に記憶されてもよい。
【００５６】
置換制御部１０４は、血圧測定が終わるたびに、メモリ部３９に記憶された可能回数Ｎmaxと、前回の充電が完了してからの実際の測定回数（以下「測定実施回数」という）とに基づき、残りの測定可能回数を推定（算出）する。
【００５７】
表示制御部１０８は、血圧測定ごとに、測定結果を表示部４０に表示する。また、表示制御部１０８は、充電期間中および放電期間中（血圧測定後）に算出された最新の測定可能回数を、表示部４０に表示する。これにより、ユーザは、現在の充電池５１の電荷量で、実際に何回測定が可能であるかを具体的に把握することができる。
【００５８】
なお、ＣＰＵ１００に含まれる各機能ブロックの動作は、メモリ部３９中に格納されたソフトウェアを実行することで実現されてもよいし、これらの機能ブロックのうち少なくとも１つについては、ハードウェアで実現されてもよい。
【００５９】
（データ構造例について）
図５は、本発明の実施の形態１の血圧計１におけるメモリ部３９の構成例を示す図である。
【００６０】
図５を参照して、メモリ部３９は、測定結果記憶領域Ｅ１と、充電データ記憶領域Ｅ２と、放電データ記憶領域Ｅ３とを含む。
【００６１】
測定結果記憶領域Ｅ１には、血圧測定ごとの測定データＭＤ１，…，ＭＤｉ，…，ＭＤｍ（ただし、ｍ＝１，２，３，…）がレコード単位で格納される。測定データＭＤｉには、最高血圧を示す最高血圧データＳＢＰ、最低血圧を示す最低血圧データＤＢＰ、脈拍数を示す脈拍数データＰＬＳ、および、測定日時データＴが含まれる。測定日時データＴは、たとえば測定スイッチ４１Ｂが押下された時点の日時である。なお、測定結果の格納形式は限定的ではない。
【００６２】
充電データ記憶領域Ｅ２には、充電ごとの充電データＣＤ１，…，ＣＤｊ，…，ＣＤｎ（ただし、ｎ＝１，２，３，…）がレコード単位で格納される。放電データ記憶領域Ｅ３には、血圧測定ごとの放電データＤＤ１，…，ＤＤｋ，…，ＤＤｎ（ただし、ｎ＝１，２，３，…）がレコード単位で格納される。
【００６３】
図６は、実施の形態１における充電データＣＤｊのデータ構造の一例を示す図である。
図６を参照して、充電データＣＤｊは、「日時」、「状態係数」、「平均電流ＥＣｐ」、「可能回数Ｎmax」、および「充電特性」の５つのフィールド８１〜８５を含む。各フィールドの内容について概略すると、「日時」フィールド８１は、充電開始日時や充電期間などの情報を格納する。また、「状態係数」フィールド８２は、前回までの充電特性に基づく状態係数のデータを格納する。「平均電流ＥＣｐ」フィールド８３は、過去の平均電流ＥＣｐのデータを格納する。「可能回数Ｎmax」フィールド８４は、この充電期間において推定された、可能回数Ｎmaxのデータを格納する。「充電特性」フィールド８５は、この充電期間に測定された充電特性のデータを格納する。
【００６４】
図７は、充電データに含まれる充電特性フィールド８５のデータ構造例を示す図である。図７を参照して、充電特性フィールド８５は、「時間データ」を格納する領域８５１と、「電圧データ」を格納する領域８５２とを有している。
【００６５】
領域８５１には、サンプリング周期に応じた複数の時間データ１，２，３，・・・，Ｎが格納される。領域８５２には、領域８５１の時間データそれぞれと対応付けて、電圧データＶ（１），Ｖ（２），・・・，Ｖ（ｎ）が格納される。
【００６６】
図８は、実施の形態１における放電データＤＤｋのデータ構造の一例を示す図である。
図８を参照して、放電データＤＤｋは、「日時」、「平均電流ＥＣｔ」、および「放電特性」の３つのフィールド９１〜９３を含む。各フィールドの内容について概略すると、「日時」フィールド９１は、放電開始日時や放電期間などの情報を格納する。また、「平均電流ＥＣｔ」フィールド９２は、この放電期間に消費された平均電流ＥＣｔのデータを格納する。「放電特性」フィールド９３は、この放電期間に測定された放電特性データを格納する。放電特性フィールド９３のデータ構造例は、図７に示した充電特性の場合と同様であってよい。したがって、これについての説明は繰返さない。
【００６７】
なお、平均電流ＥＣｔの記憶に代えて、時系列の消費電流と加圧時間とを記憶することとしてもよい。
【００６８】
また、充電データおよび放電データの格納形式は、特に限定されるものではない。また、放電データ記憶領域Ｅ３には、前回の充電以降の放電データのみが記憶されてもよい。
【００６９】
本実施の形態では、充電期間および放電期間が終了した場合、メモリ部３９の所定の領域（図示せず）には、最新の測定可能回数が記憶されものとする。これにより、表示制御部１０８は、電源が投入された時点においても、最新の測定可能回数を表示部４０に表示することができる。
【００７０】
＜動作について＞
以下に、血圧計１が、充電期間および放電期間中に、測定可能回数を更新する際の動作について説明する。
【００７１】
１．充電時の回数更新処理
図９は、本発明の実施の形態１における血圧計１のＣＰＵ１００が、充電期間に実行する回数更新処理を示すフローチャートである。図９のフローチャートに示す処理は、予めプログラムとしてメモリ部３９に格納されており、ＣＰＵ１００がこのプログラムを読み出して実行することにより、回数更新処理の機能が実現される。なお、この処理は、充電が開始された場合に開始されるものとする。
【００７２】
図９を参照して、はじめに、置換制御部１０４は、メモリ部３９の放電データ記憶領域Ｅ３に、放電データが記憶されているか否かを判断する（ステップＳ１０２）。放電データが存在すると判断した場合（ステップＳ１０２においてＹＥＳ）、ステップＳ１０４に進む。放電データが存在しないと判断した場合（ステップＳ１０２においてＮＯ）、ステップＳ１０６に進む。
【００７３】
ステップＳ１０４において、置換制御部１０４は、全ての放電データの平均電流ＥＣｔを読出す。置換制御部１０４は、読出した平均電流ＥＣｔの平均値、すなわち過去の平均電流ＥＣｐを算出する（ステップＳ１０８）。算出された平均電流ＥＣｐは、内部メモリに一時的に記録される。
【００７４】
ステップＳ１０６において、置換制御部１０４は、デフォルトの平均電流ＥＣｐ（所定の消費電流値）を設定する。
【００７５】
平均電流ＥＣｐが算出または設定されると、置換制御部１０４は、メモリ部３９の充電データ記憶領域Ｅ２に、充電データが記憶されているか否かを判断する（ステップＳ１１０）。充電データが存在すると判断した場合（ステップＳ１１０においてＹＥＳ）、ステップＳ１１２に進む。充電データが存在しないと判断した場合（ステップＳ１１０においてＮＯ）、ステップＳ１１６に進む。
【００７６】
ステップＳ１１２において、置換制御部１０４は、少なくとも前回を含む充電データの充電特性を読出す。置換制御部１０４は、新品時の充電池５１の所定の充電特性と、少なくとも直近の充電特性を含む１以上の充電特性とに基づいて、状態係数を算出する。
【００７７】
図１０は、充電池５１の充電特性の変化を示すグラフである。図１０を参照して、時間ｔａは、充電池５１が新品の場合の満充電時間を示し、時間ｔｂは、充電池５１が劣化した場合の満充電時間を示す。
【００７８】
充電特性も放電特性も、充放電サイクル(充電と放電の繰返し)が進行すると、充電池５１の特性が変化（劣化）する。つまり、充電時間が短くなり、放電時間が早くなる。したがって、測定可能回数を精度良く推定するために、充電池５１の現状の状態、すなわち劣化具合を状態係数として算出する。現状の充電池５１の満充電時間が上記時間ｔｂであるとすると、状態係数は、時間ｔｂを時間ｔａで除することにより算出することができる。状態係数の具体的な数値としては、たとえば０．７〜１．０が想定される。ただし、充電スタート時の充電池電圧は同じ値であるものとする。
【００７９】
ステップＳ１１４で算出された状態係数は、内部メモリに一時的に記録される（ステップＳ１１４）。なお、本実施の形態では、充電特性に基づいて、状態係数を算出することとしたが、放電特性に基づいて算出してもよい。
【００８０】
ステップＳ１１６において、置換制御部１０４は、充電池５１は新品であると判断し、状態係数「１」を設定する。
【００８１】
状態係数が算出または設定されると、置換制御部１０４は、充電電流、充電時間および電圧（充電特性）の測定を開始する（ステップＳ１１８）。測定された電圧は、内部メモリに時系列に記録される。
【００８２】
次に、置換制御部１０４は、充電中であるか否かを判断する（ステップＳ１２０）。充電中であると判断した場合（ステップＳ１２０においてＹＥＳ）、ステップＳ１２２に進む。充電が終了されたと判断した場合（ステップＳ１２０においてＮＯ）、ステップＳ１２８に進む。
【００８３】
ステップＳ１２２において、置換制御部１０４は、上述の平均電流ＥＣｐと、ステップＳ１１８で測定された充電電流および充電時間とに基づいて、仮の測定可能回数（以下「仮可能回数」という）を算出する。具体的には次式（１）により算出される。
【００８４】
仮可能回数（ｙ１）＝｛充電電流×充電時間｝／平均電流ＥＣｐ  …（１）
このように、今回の充電電荷量を平均電流ＥＣｐで除算することにより、仮可能回数が推定される。なお、式（１）は、充電が開始された時点での充電池５１の残容量（電荷量）がゼロである場合を想定した式であり、実施には、充電池５１の残容量を、今回の充電電荷量に加算した上で、仮可能回数が算出されるものとする。この場合、充電池５１の残容量は、たとえば、前回の充電データの放電特性と、可能回数Ｎmaxと、前回の充電完了からの測定実施回数とに基づいて、算出される。
【００８５】
続いて、置換制御部１０４は、仮可能回数を上述の状態係数で補正することにより、測定可能回数を推定する（ステップＳ１２４）。具体的には、まず、ステップＳ１２２での算出結果から、充電池５１の充電特性（電圧−時間特性）を、測定可能回数−時間特性を示す関係式（たとえば一次式）に変換する。そして、変換後の関係式を状態係数で補正する。
【００８６】
図１１は、充電池５１の充電特性と、測定可能回数−時間特性との関係を示すグラフである。図１１を参照して、曲線６１は、充電特性（電圧と時間との関係）を表わし、直線６２は、測定可能回数−時間特性（測定可能回数と時間との関係）を表わしている。曲線６１は、今回の充電期間の充電特性だけでなく、過去の充電データにおける充電特性を含んでもよい。これにより、中途半端に充電を繰返した場合でも、充電池５１の電荷量を精度良く測定可能回数に置き換えることができる。
【００８７】
測定可能回数（仮可能回数の補正値）は、より具体的には、次式（２）により算出される。
【００８８】
ｙ１’＝ｙ１×ｃ              …（２）
ただし、ｙ１’：測定可能回数、ｙ１：仮可能回数、ｃ：状態係数を表わす。
【００８９】
推定された測定可能回数は、表示制御部１０８に出力され、最新の測定可能回数が表示される（ステップＳ１２６）。この処理が終わると、ステップＳ１１８に戻り、上記処理を繰返す。これにより、充電期間中、充電電荷量（増加する電荷量）に応じて、測定可能回数の表示が更新される。なお、更新後の測定可能回数は、可能回数Ｎmaxを表わす。
【００９０】
図１２は、図９のステップＳ１２６で表示される画面の一例を示す図である。
図１２を参照して、表示部４０には、所定の表示領域４０５に、測定可能回数が表示される。充電期間中、測定可能回数は更新されるため、ユーザは、今回の充電で、測定可能回数が具体的にどれ位増加しているかを把握することができる。そのため、充電切れで、すぐに血圧を測定したい場合には、測定可能回数が「１」になった時点で測定することも可能となる。
【００９１】
再び図９を参照して、ステップＳ１２８において、置換制御部１０４は、平均電流ＥＣｐと、状態係数と、可能回数Ｎmaxと、充電特性とを対応付けて、メモリ部３９の充電データ記憶領域Ｅ２に格納する。また、置換制御部１０４は、メモリ部３９の所定の領域（図示せず）に、最新の測定可能回数、すなわち可能回数Ｎmaxを記録する。
【００９２】
ステップＳ１２８の処理が終わると、充電時の回数更新処理は終了される。
２．放電時の回数更新処理
図１３は、本発明の実施の形態における血圧計１のＣＰＵ１００が放電期間に実行する回数更新処理を示すフローチャートである。図１３のフローチャートに示す処理は、予めプログラムとしてメモリ部３９に格納されており、ＣＰＵ１００がこのプログラムを読み出して実行することにより、回数更新処理の機能が実現される。なお、この処理は、電源スイッチ４１Ａが押下された場合に開始されるものとする。
【００９３】
図１３を参照して、はじめに、置換制御部１０４は、充電池５１の電圧（放電特性）の測定を開始する（ステップＳ２０２）。次に、測定スイッチ４１Ｂが押下されたか否かが判断され、測定スイッチ４１Ｂが押下されるまで、電圧の測定を繰返す（ステップＳ２０４においてＮＯ）。ステップＳ２０２で測定された電圧は、内部メモリに時系列に一時記録される。
【００９４】
測定スイッチ４１Ｂが押下されたと判断された場合（ステップＳ２０４においてＹＥＳ）、ステップＳ２０６に進む。
【００９５】
ステップＳ２０６において、置換制御部１０４は、充電池５１の現在の電圧がバッテリロー（所定の閾値）であるか否かを判断する。バッテリローでないと判断した場合（ステップＳ２０６においてＮＯ）、ステップＳ２０８およびステップＳ２１０に進む。バッテリローであると判断された場合（ステップＳ２０６においてＹＥＳ）、バッテリローである旨表示部４０に表示し（ステップＳ２１６）、この回数更新処理を終了する。なお、放電時の回数更新処理は、バッテリーローの場合の他、電源がＯＦＦされた場合にも終了されるものとする。
【００９６】
ステップＳ２０８において、血圧測定処理が実行される。血圧測定処理については、図１４のサブルーチンを用いて後に説明する。本実施の形態において、血圧測定処理と並行して、ステップＳ２１０の処理が実行される。
【００９７】
ステップＳ２１０において、置換制御部１０４は、充電池５１の電圧（放電特性）に加え、充電池５１から流出する電流（主にポンプ３３の駆動に要する消費電流）および加圧時間を測定する。測定された電圧および消費電流は、内部メモリに時系列に一時記録される。
【００９８】
血圧測定処理が終わると、ステップＳ２１０の処理を終了し、ステップＳ２１２に進む。
【００９９】
ステップＳ２１２において、置換制御部１０４は、ステップＳ２１０で測定された消費電流に基づき、今回の平均電流ＥＣｔを算出する。
【０１００】
次に、置換制御部１０４は、ステップＳ２１２で算出された平均電流ＥＣｔと、内部メモリに一時記録していた放電特性とを対応付けて、メモリ部３９の放電データ記憶領域Ｅ３に記憶する（ステップＳ２１３）。
【０１０１】
続いて、置換制御部１０４は、残回数推定処理を実行する（ステップＳ２１４）。この処理については、図１５のサブルーチンを用いて後に詳述する。残回数推定処理が終わると、処理は、ステップＳ２０２に戻される。
【０１０２】
（血圧測定処理）
図１４は、図１３のステップＳ２０８において実行される血圧測定処理を示すフローチャートである。以下に示す血圧測定処理は一例であり、血圧測定の手法については、特に限定されるものではない。
【０１０３】
図１４を参照して、測定制御部１０２は、はじめに、初期化処理を行なう（ステップＳ３０２）。具体的には、空気袋２１の空気の排気や、圧力センサ３２の補正などを行なう。
【０１０４】
測定制御部１０２は、測定可能状態になると、ポンプ３３を駆動開始し、空気袋２１の
圧力を徐々に上昇させる（ステップＳ３０４）。カフ圧が血圧測定のための所定レベルにまで達すると、測定制御部１０２はポンプ３３を停止し、閉じていた排気弁３４を徐々に開いて、空気袋２１の空気を徐々に排気する。これにより、カフ圧は徐々に減圧される（ステップＳ３０６）。
【０１０５】
次に、測定制御部１０２は、公知の手順で血圧（最高血圧、最低血圧）を算出する（ステップＳ３０８）。具体的には、カフ圧が徐々に減圧する過程において、測定制御部１０２は、発振回路３５から得られる発振周波数に基づき脈波情報を抽出する。そして、抽出された脈波情報により血圧を算出する。測定制御部１０２は、公知の手順で脈拍数をさらに算出してよい。
【０１０６】
ステップＳ１０８の処理が終わると、測定制御部１０２は、算出した血圧および脈拍数を、メモリ部３９の測定結果記憶領域Ｅ１に記録する（ステップＳ３１０）。表示制御部１０８は、算出された血圧を表示部４０に表示する（ステップＳ３１２）。なお、血圧の表示は、残回数推定処理において推定される測定可能回数とともに行なわれてよい。
【０１０７】
（残回数推定処理）
図１５は、本発明の実施の形態１において、図１３のステップＳ２１４において実行される残回数推定処理を示すフローチャートである。
【０１０８】
図１５を参照して、置換制御部１０４は、メモリ部３９の放電データ記憶領域Ｅ３に格納された放電データの放電特性を読出す（ステップＳ４０２）。また、充電データ記憶領域Ｅ２に格納された直近の充電データの可能回数Ｎmaxを読出す。
【０１０９】
置換制御部１０４は、前回の充電が完了してからの血圧測定回数（測定実施回数）を算出する（ステップＳ４０６）。具体的には、最新の充電データの日時フィールド８１に記憶されたデータより、最新の充電終了日時を取得する。そして、測定結果記憶領域Ｅ１に格納された測定データのうち、充電終了日時以降のデータの数をカウントすることで、測定実施回数を算出することができる。
【０１１０】
次に、置換制御部１０４は、読出した放電特性および可能回数Ｎmaxと、算出した測定実施回数とに基づき、充電池５１の電圧と測定実施回数との関係式（たとえば一次式）を算出する（ステップＳ４０８）。
【０１１１】
図１６は、充電池５１の放電特性と、充電池電圧−測定実施回数特性との関係を示すグラフである。図１６を参照して、曲線６３は、放電特性（電圧と時間との関係）を表わし、直線６４は、充電池電圧−測定実施回数特性（電圧と測定実施回数との関係）を表わしている。曲線６３は、直前の充電が完了してからの全ての充電特性を含む。放電開始のタイミングは、満充電でなくてもよい。
【０１１２】
ステップＳ４０８では、具体的には、次式（３）により、関係式の傾きを求めることで、直線６４が示すような、曲線６３の直線近似式を算出することができる。
【０１１３】
Δｙ２＝−ａ２×Δｘ２＋ｋ      …（３）
ただし、Δｙ２：充電池電圧変化分、ａ２：傾き、Δｘ２：測定回数変化分、ｋ：前回充電時の可能回数Ｎmaxを表わす。
【０１１４】
ステップＳ４０８において関係式が算出されると、置換制御部１０４は、関係式に基づいて、測定可能回数（残回数）を推定（算出）する（ステップＳ４１０）。推定された測定可能回数（残回数）は、表示制御部１０８に出力され、最新の測定可能回数が表示される（ステップＳ４１２）。これにより、血圧測定処理が実行される度に、測定可能回数の表示が更新される。この処理が終わると、処理はメインルーチンに戻される。
【０１１５】
このように、放電の際においても、最新の放電特性を用いて測定可能回数を算出するため、充電池５１が劣化してきた場合でも、精度良く測定可能回数を推定することができる。
【０１１６】
図１７は、図１５のステップＳ４１２において表示される画面の一例を示す図である。
図１７を参照して、図１２と同様に、表示部４０の所定の表示領域４０５に、測定可能回数が表示される。また、本実施の形態では、測定可能回数と併せて、測定結果が表示される。具体的には、表示領域４０１には、測定日時が表示され、表示領域４０２〜４０４には、最高血圧、最低血圧および脈拍数がそれぞれ表示される。これにより、ユーザは、血圧測定が終わる度に、最新の測定可能回数を把握することができる。あるいは、自由なタイミングで最新の測定可能回数を呼び出せてもよい。
【０１１７】
なお、ステップＳ４１０で算出された測定可能回数は、置換制御部１０４により、メモリ部３９の所定の領域（図示せず）に、記録されるものとする。これにより、放電時の回数更新処理および充電時の回数更新処理の開始時点でも、最新の測定可能回数を表示することができる。
【０１１８】
以上のように、本実施の形態によると、充電期間中、測定可能回数の表示が更新される。そのため、ユーザは使用したい測定回数分だけ充電することが可能となり、充電待ち時間を短縮することができる。
【０１１９】
また、常に、最新の測定可能回数が表示されるため、突然の充電切れを防止することができ、充電管理が容易になる。さらに、充電効率を向上させることができる。また、その結果、充電池５１の寿命が短縮されるのを防止することができる。
【０１２０】
また、本実施の形態では、充電時の可能回数Ｎmaxを算出する際に、充電池５１の状態係数も用いる。そのため、充電池５１が劣化してきた場合でも、測定可能回数の推定精度が低下することを防ぐことができる。また、ユーザは、充電池５１の寿命も判断することができる。
【０１２１】
さらに、充電時の可能回数Ｎmaxを算出する際に、血圧測定時の消費電荷量（消費電流および加圧時間）も用いる。つまり、充放電のいずれの場合も、血圧測定時の消費電荷量の平均値に基づいて、測定可能回数が推定される。その結果、充放電を繰返すにつれて、測定可能回数の推定精度を向上させることができる。
【０１２２】
＜変形例＞
上記実施の形態１では、血圧計１のユーザ（被測定者）は、一人であることを前提とした。しかしながら、血圧計１のユーザは複数人であってもよく、そのような場合を実施の形態１の変形例として説明する。なお、本実施の形態の変形例においても、血圧計１の構成および基本的な動作は、上記実施の形態１と同様である。したがって、ここでは、実施の形態１との相違点のみ、以下に説明する。
【０１２３】
本変形例では、残回数推定処理のみが実施の形態１と異なる。
図１８は、本発明の実施の形態１の変形例において、図１３のステップＳ２１４において実行される残回数推定処理を示すフローチャートである。
【０１２４】
図１８を参照して、置換制御部１０４は、充電データ記憶領域Ｅ２に記憶された最新のの充電データから、平均電流ＥＣｐを読出す（ステップＳ５０２）。次に、図１３のステップＳ２１２で算出された今回の平均電流ＥＣｔと、読出した平均電流ＥＣｐとが等しいか否かを判断する（ステップＳ５０４）。等しいと判断した場合（ステップＳ５０４でＹＥＳ）、ステップＳ５０９に進む。等しくないと判断した場合（ステップＳ５０４でＮＯ）、ステップＳ５０８に進む。なお、ここでは、今回の平均電流ＥＣｔと平均電流ＥＣｐとが等しくなければ、ステップＳ５０８に進むこととするが、両者の差が所定値以上の場合にのみ、ステップＳ５０８に進むこととしてもよい。
【０１２５】
ステップＳ５０８において、置換制御部１０４は、今回の測定についての電池容量消費係数を算出する。容量消費係数は、過去の平均電流ＥＣｐに対する今回の平均電流ＥＣｔの割合を表わし、過去の平均電流ＥＣｐを今回の平均電流ＥＣｔで除算することで得られる。容量消費係数の具体的な数値としては、たとえば０．７〜１．３が想定される。
【０１２６】
ステップＳ５０９において、置換制御部１０４は、容量消費係数として「１」を設定する。
【０１２７】
容量消費係数の算出または設定が終わると、置換制御部１０４は、放電データ記憶領域Ｅ３に格納された放電データの放電特性と、充電データ記憶領域Ｅ２に格納された直近の充電データに含まれる可能回数Ｎmaxとを読出す（ステップＳ５１０）。
【０１２８】
次に、置換制御部１０４は、前回の充電が完了してからの血圧測定回数（測定実施回数）を算出する（ステップＳ５１２）。また、充電池５１の電圧と測定実施回数との関係式を算出する（ステップＳ５１４）。ステップＳ５１２およびＳ５１４の処理は、それぞれ、上記ステップＳ４０６およびＳ４０８と同様であるため、ここでの説明は繰返さない。
【０１２９】
続いて、置換制御部１０４は、容量消費係数に基づいて、ステップＳ５１４で算出した関係式を補正する（ステップＳ５１６）。補正後の関係式は、次式（４）により算出することができる。
【０１３０】
ｙ２’＝−ａ２×ｅ×Δｘ＋ｋ      …（４）
ただし、ｅ：容量消費係数を表わす。
【０１３１】
置換制御部１０４は、補正後の関係式に基づいて、測定可能回数を算出する（ステップＳ５１８）。推定された測定可能回数（残回数）は、表示制御部１０８に出力され、最新の測定可能回数が表示される（ステップＳ５２０）。これにより、変形例においても、血圧測定処理が実行される度に、測定可能回数の表示が更新される。この処理が終わると、処理はメインルーチンに戻される。
【０１３２】
このように、実施の形態１の変形例における放電時の回数更新処理では、測定可能回数を算出する際に、容量消費係数により、直線近似式を補正することとした。つまり、放電期間中に残回数を推定する際、被測定者ごとの身体的特徴（たとえば、腕周の大きさ、血圧の高さ）の相違を考慮する。これにより、血圧計１を複数の被測定者が使用する場合でも、精度良く測定可能回数を算出することができる。
【０１３３】
［実施の形態２］
上述の実施の形態１およびその変形例における血圧計は、蓄電装置として充電池を備えたが、本発明の実施の形態２における血圧計は、蓄電装置としてキャパシタ（コンデンサ）を備える。
【０１３４】
本実施の形態における血圧計の基本的な構成および動作は、実施の形態１の血圧計１と同様である。したがって、ここでも、図１〜３で示した符号を用いる。
【０１３５】
以下、実施の形態１と異なる部分のみ説明する。
図１９は、本発明の実施の形態２における血圧計１の機能ブロック図である。
【０１３６】
図１９を参照して、本実施の形態において、電源部４２は、充電池５１に代えて、キャパシタ５１Ａを含む。また、ＣＰＵ１００は、置換制御部１０４に代えて、置換制御部１０４Ａを含む。置換制御部１０４Ａの具体的な機能については、後述する。
【０１３７】
蓄電装置がキャパシタ５１Ａである場合、充電特性および放電特性は、キャパシタ５１Ａの容量が十分に大きければ、直線的とみなせる。キャパシタ５１Ａの充電特性の典型例を図２０に示す。図２０に示されるように、キャパシタ５１Ａの充電特性は直線的とみなせるので、本実施の形態では、充電特性を直線近似する必要はない。
【０１３８】
また、キャパシタ５１Ａは、充放電を繰返しても、充電特性および放電特性が変化する（寿命が縮まる）ことがない。そのため、測定可能回数を推定する際、状態係数による補正が必要ない。
【０１３９】
図２１は、実施の形態２における充電データＣＤｊ＃のデータ構造の一例を示す図である。図２１を参照して、充電データＣＤｊ＃は、「日時」、「平均電流ＥＣｐ」および「全電荷量」の３つのフィールド８１，８３，８６を含む。実施の形態１における充電データＣＤｊと比較すると、状態係数、可能回数Ｎmaxおよび充電特性が含まれず、新たに、全電荷量が加えられている。全電荷量フィールド８６は、この充電期間でキャパシタ５１Ａに蓄えられた全電荷量のデータを格納する。全電荷量は、充電前に残っていた電荷量（以下「残容量」という）と、充電により増加した電荷量（以下「今回充電量」という）とを含む。
【０１４０】
図２２は、実施の形態２における放電データＤＤｋ＃のデータ構造の一例を示す図である。図２２を参照して、放電データＤＤｋ＃は、「日時」、「平均電流ＥＣｔ」および「加圧時間」の３つのフィールド９１，９２，９４を含む。実施の形態１における放電データＤＤｋと比較すると、放電特性が含まれず、新たに、加圧時間が加えられている。加圧時間フィールド９４は、この放電期間での加圧時間（血圧の測定時間に対応）を格納する。なお、本実施の形態では、電源ＯＮの状態で測定以外の時間が長いと成立しなくなるので、電源ＯＮの時間は測定時のみとする。
【０１４１】
１．充電時の回数更新処理
図２３は、本発明の実施の形態２における血圧計１のＣＰＵ１００が、充電期間に実行する回数更新処理を示すフローチャートである。なお、実施の形態１の図９のフローチャートと同様の処理については、同じステップ番号を付してある。そのため、それらについての説明は繰返さない。
【０１４２】
本実施の形態においては、ステップＳ１１０〜Ｓ１１６の処理が不要となる。ステップＳ１１８に代えて、ステップＳ１１８Ａが実行される。
【０１４３】
ステップＳ１１８Ａにおいて、置換制御部１０４Ａは、充電電流および充電時間の測定を行なう。つまり、充電特性の測定は行なわない。
【０１４４】
ステップＳ１２０において、充電中であると判断された場合（ステップＳ１２０でＹＥＳ）、実施の形態１と同様の処理（ステップＳ１２２，Ｓ１２６）が実行される。
【０１４５】
一方、充電中でないと判断された場合（ステップＳ１２０でＮＯ）、置換制御部１０４Ａは、今回充電量を算出する（ステップＳ１２７１）。具体的には、ステップＳ１１２Ａで測定された充電電流および充電時間に基づいて、今回充電量を算出する。
【０１４６】
次に、置換制御部１０４Ａは、現状、キャパシタ５１Ａが有する全電荷量を算出する（ステップＳ１２７２）。具体的には、今回充電量と残容量とを加算することで、全電荷量を算出する。残容量は、たとえば次の手順で算出される。すなわち、前回の充電データから充電完了時の全電荷量を読出す。また、前回の充電以降の放電データから平均電流ＥＣｔおよび加圧時間を読出し、前回の充電からの消費電荷量（放電量）を算出する。前回充電時の全電荷量から消費電荷量を減算した値が、残容量とされる。この処理が終わると、ステップＳ１２８Ａに進む。
【０１４７】
ステップＳ１２８Ａにおいて、置換制御部１０４Ａは、平均電流ＥＣｐと、ステップＳ１２７２で算出された全電荷量とを対応付けて、メモリ部３９の充電データ記憶領域Ｅ２に格納する。なお、全電荷量に代えて、充電電流と充電時間との組を格納し、放電時の回数更新処理において、全電荷量が算出されてもよい。
【０１４８】
２．放電時の回数更新処理
本実施の形態では、図１３のフローチャートのステップＳ２１３において、放電特性ではなく加圧時間が格納されるものとする。
【０１４９】
図２４は、本発明の実施の形態２において、図１３のステップＳ２１４において実行される残回数推定処理を示すフローチャートである。
【０１５０】
図２４を参照して、置換制御部１０４Ａは、全ての放電データの平均電流ＥＣｔおよび加圧時間と、最新の充電データの平均電流ＥＣｐおよび全電荷量とを読出す（ステップＳ６０２）。
【０１５１】
次に、置換制御部１０４Ａは、平均電流ＥＣｐおよび過去の加圧時間に基づき、測定１回の平均消費電荷量を算出する（ステップＳ６０４）。具体的には、読出した過去の加圧時間の平均値（平均加圧時間）を算出し、算出した平均加圧時間と平均電流ＥＣｐとを乗算することで得られる。
【０１５２】
また、置換制御部１０４Ａは、今回の測定時間と今回の平均電流ＥＣｔとに基づいて、今回の測定での消費電荷量を算出する（ステップＳ６０６）。
【０１５３】
置換制御部１０４Ａは、ステップＳ６０２で読出された全電荷量と、ステップＳ６０６で算出された消費電荷量と、ステップＳ６０４で算出された平均消費電荷量とに基づいて、測定可能回数（残回数）を推定する（ステップＳ６０８）。具体的には、（全電荷量−消費電荷量）／平均消費電荷量で算出される。推定された測定可能回数（残回数）は、表示制御部１０８に出力され、最新の測定可能回数が表示される（ステップＳ６１０）。これにより、血圧測定処理が実行される度に、測定可能回数の表示が更新される。この処理が終わると、処理はメインルーチンに戻される。
【０１５４】
このように、本実施の形態においても、実施の形態１と同様に、ユーザは使用したい測定回数分だけ充電することが可能となり、充電待ち時間を短縮することができる。また、常に、最新の測定可能回数が表示されるため、突然の充電切れを防止することができ、充電管理が容易になる。
【０１５５】
また、充放電のいずれの場合も、血圧測定で消費される電荷量（放電量）の平均値に基づいて、測定可能回数が推定される。その結果、充放電を繰返すにつれて、測定可能回数の推定精度を向上させることができる。
【０１５６】
なお、本実施の形態においても、複数のユーザが使用することを考慮して、容量消費係数を用いて、ステップＳ６０８で推定された測定可能回数を補正することとしてもよい。
【０１５７】
また、本発明の血圧計が行なう、測定可能回数の更新方法を、プログラムとして提供することもできる。このようなプログラムは、ＣＤ−ＲＯＭ（Compact Disc-ROM）などの光学媒体や、メモリカードなどのコンピュータ読取り可能な記録媒体にて記録させて、プログラム製品として提供することもできる。また、ネットワークを介したダウンロードによって、プログラムを提供することもできる。
【０１５８】
提供されるプログラム製品は、フラッシュメモリなどのプログラム格納部にインストールされて実行される。なお、プログラム製品は、プログラム自体と、プログラムが記憶された記憶媒体とを含む。
【０１５９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１６０】
【図１】本発明の各実施の形態における血圧計の外観を示す図である。
【図２】本発明の各実施の形態における血圧計の本体部を後方から見た斜視図である。
【図３】本発明の各実施の形態における血圧計のハードウェア構成を示すブロック図である。
【図４】本発明の実施の形態１およびその変形例における血圧計の機能ブロック図である。
【図５】本発明の各実施の形態の血圧計におけるメモリ部の構成例を示す図である。
【図６】本発明の実施の形態１における充電データのデータ構造の一例を示す図である。
【図７】充電データに含まれる充電特性フィールドのデータ構造例を示す図である。
【図８】本発明の実施の形態１における放電データのデータ構造の一例を示す図である。
【図９】本発明の実施の形態１およびその変形例における血圧計のＣＰＵが、充電期間に実行する回数更新処理を示すフローチャートである。
【図１０】充電池の充電特性の変化を示すグラフである。
【図１１】充電池の充電特性と、測定可能回数−時間特性との関係を示すグラフである。
【図１２】図９のステップＳ１２６で表示される画面の一例を示す図である。
【図１３】本発明の各実施の形態における血圧計１のＣＰＵ１００が放電期間に実行する回数更新処理を示すフローチャートである。
【図１４】図１３のステップＳ２０８において実行される血圧測定処理を示すフローチャートである。
【図１５】本発明の実施の形態１において、図１３のステップＳ２１４において実行される残回数推定処理を示すフローチャートである。
【図１６】充電池の放電特性と、充電池電圧−測定実施回数特性との関係を示すグラフである。
【図１７】図１５のステップＳ４１２において表示される画面の一例を示す図である。
【図１８】本発明の実施の形態１の変形例において、図１３のステップＳ２１４において実行される残回数推定処理を示すフローチャートである。
【図１９】本発明の実施の形態２における血圧計の機能ブロック図である。
【図２０】キャパシタの充電特性の典型例を示すグラフである。
【図２１】本発明の実施の形態２における充電データのデータ構造の一例を示す図である。
【図２２】本発明の実施の形態２における放電データのデータ構造の一例を示す図である。
【図２３】本発明の実施の形態２における血圧計のＣＰＵが、充電期間に実行する回数更新処理を示すフローチャートである。
【図２４】本発明の実施の形態２において、図１３のステップＳ２１４において実行される残回数推定処理を示すフローチャートである。
【符号の説明】
【０１６１】
１  血圧計、１０  本体部、１０Ａ  表面、１０Ｂ，１０Ｃ  側面、１０Ｄ  背面、２０  カフ、２１  空気袋、２４  エアチューブ、２５  エア系、３２  圧力センサ、３３  ポンプ、３４  排気弁、３５  発振回路、３６  ポンプ駆動回路、３７  弁駆動回路、３９  メモリ部、４０  表示部、４１  操作部、４１Ａ  電源スイッチ、４１Ｂ  測定スイッチ、４１Ｃ  メモリスイッチ、４２  電源部、４３  計時部、５０  太陽電池、５１  充電池、５１Ａ  キャパシタ、５２  電圧検出部、５３  電流検出部、１００  ＣＰＵ、１０２  測定制御部、１０４，１０４Ａ  置換制御部、１０８  表示制御部、Ｅ１  測定結果記憶領域、Ｅ２  充電データ記憶領域、Ｅ３  放電データ記憶領域。
【図１】
2009219704.tif 000003
【図２】
2009219704.tif 000004
【図３】
2009219704.tif 000005
【図４】
2009219704.tif 000006
【図５】
2009219704.tif 000007
【図６】
2009219704.tif 000008
【図７】
2009219704.tif 000009
【図８】
2009219704.tif 000010
【図９】
2009219704.tif 000011
【図１０】
2009219704.tif 000012
【図１１】
2009219704.tif 000013
【図１２】
2009219704.tif 000014
【図１３】
2009219704.tif 000015
【図１４】
2009219704.tif 000016
【図１５】
2009219704.tif 000017
【図１６】
2009219704.tif 000018
【図１７】
2009219704.tif 000019
【図１８】
2009219704.tif 000020
【図１９】
2009219704.tif 000021
【図２０】
2009219704.tif 000022
【図２１】
2009219704.tif 000023
【図２２】
2009219704.tif 000024
【図２３】
2009219704.tif 000025
【図２４】
2009219704.tif 000026